(57)【要約】【課題】音声通話に影響を与えることなく、早期に音声の混信を検出し、ネットワークの信頼性を向上させる音声混信検出装置を提供する。            【解決手段】音声信号に対して、音声帯域外の周波数領域の予め定められた識別信号を生成する識別信号生成手段と、前記音声信号に、前記識別信号生成手段で生成された識別信号を挿入して送信する識別信号付加手段と、受信した音声信号から音声帯域外の周波数領域の識別信号を抽出する識別信号抽出手段と、前記識別信号抽出手段で抽出された識別信号が予め定められた識別信号の期待値と一致するか否か判定する識別信号判定手段とを備える。【選択図】図１４
2015231213.tif 000002
【特許請求の範囲】
【請求項１】
音声信号に対して、音声帯域外の周波数領域の予め定められた識別信号を生成する識別信号生成手段と、
前記音声信号に、前記識別信号生成手段で生成された識別信号を挿入して送信する識別信号挿入手段と、
受信した音声信号から音声帯域外の周波数領域の識別信号を抽出する識別信号抽出手段と、
前記識別信号抽出手段で抽出された識別信号が予め定められた識別信号の期待値と一致するか否か判定する識別信号判定手段と、
を備えた、ことを特徴とする音声混信検出装置。
【請求項２】
前記識別信号が、音声帯域外の予め定められた周波数の正弦波を含む、ことを特徴とする請求項１記載の音声混信検出装置。
【請求項３】
前記識別信号として、予め定められた所定期間に含まれる前記正弦波の数が、チャネル毎に、一意に割り当てられている、ことを特徴とする請求項２記載の音声混信検出装置。
【請求項４】
前記識別信号として、前記正弦波が予め定められた所定サイクル連続すると、２進数の１と０の一方とし、前記正弦波が前記予め定められた所定サイクル連続していない場合に、２進数の１と０の他方とする値が、チャネル毎に、一意に割り当てられている、ことを特徴とする請求項２記載の音声混信検出装置。
【請求項５】
前記識別信号生成手段が、チャネルに対応した識別信号をチャネル毎に記憶管理し、前記識別信号挿入手段に対して、該当するチャネルに対応する前記識別信号を供給する制御手段を備え、
受信した呼制御信号から識別信号情報を取得し、前記識別信号判定手段に対して、該当するチャネルに対応する識別信号の期待値を供給する管理手段と、
前記識別信号判定手段で不一致を検出したとき、警報を出力する警報手段と、
をさらに備えた、ことを特徴とする請求項１乃至４のいずれか１項に記載の音声混信検出装置。
【請求項６】
前記識別信号抽出手段が、前記受信した音声信号から、音声帯域外の周波数領域の正弦波を抽出し、
前記識別信号判定手段が、
前記識別信号抽出手段で抽出された前記正弦波から、前記正弦波に対応したレベルを有し前記正弦波の数に対応する長さの直流信号に変換する手段と、
前記直流信号を予め定められた所定の閾値と比較して２値の信号に変換し、前記２値の信号のパルス長を計測することで前記正弦波の数を取得する手段と、
前記取得した正弦波の数が、前記識別信号の期待値と一致するかチェックする手段と、
を備えた、ことを特徴とする請求項１乃至５のいずれか１項に記載の音声混信検出装置。
【請求項７】
音声信号に対して、音声帯域外の周波数領域の予め定められた識別信号を生成する識別信号生成手段と、
前記音声信号に、前記識別信号生成手段で生成された識別信号を挿入して送信する識別信号挿入手段と、
を備えた、ことを特徴とする送信装置。
【請求項８】
受信した音声信号から、音声帯域外の周波数領域の識別信号を抽出する識別信号抽出手段と、
抽出された前記識別信号が、予め定められた識別信号の期待値と一致するか否か判定する判定手段と、
を備えた、ことを特徴とする受信装置。
【請求項９】
音声信号に対して音声帯域外の周波数領域に予め定められた識別信号を生成し、
前記音声信号に前記生成した識別信号を挿入して送信し、
受信した音声信号から音声帯域外の周波数領域の識別信号を抽出し、
抽出した前記識別信号が、予め定められた識別信号の期待値と一致するか否か判定する、ことを特徴とする音声混信検出方法。
【請求項１０】
音声信号に対して音声帯域外の周波数領域の予め定められた識別信号を生成する処理と、
前記音声信号に、生成された前記識別信号を挿入して送信する処理と、
受信した音声信号から音声帯域外の周波数領域の識別信号を抽出する処理と、
抽出された前記識別信号が予め定められた識別信号の期待値と一致するか否か判定する処理と、
をコンピュータに実行させるプログラム。
【発明の詳細な説明】
【技術分野】
【０００１】
本発明は、音声混信検出装置と方法並びにプログラムに関する。
【背景技術】
【０００２】
ＰＳＴＮ（Public Switched Telephone Networks：公衆交換電話網）のネットワークでは、音声信号は回線交換方式で転送される。回線交換方式は、通信開始から終了まで通信相手との間にコネクションを設定し伝送路（回線）を占有し通信の交換を行う。ＰＳＴＮ網は、通話品質や耐障害性においては高い信頼性を保っている。
【０００３】
一方で、昨今の通信需要の増大による低コストの要求や多様なサービス提供の要求が高まる。またＰＳＴＮ交換機等の設備の老朽化等に伴うＰＳＴＮマイグレーション（ＩＰ（Internet Protocol）ネットワークへの移行）も計画されている。
【０００４】
インターネットやイントラネット等ＴＣＰ／ＩＰ（Transport Control Protocol/Internet Protocol）ネットワークを用いて音声信号を送受信するＶｏＩＰ（Voice over Internet Protocol）による音声通話サービスが拡大している。例えば特許文献１には、電話端末が端末接続装置（音声処理部、データパケット処理部）を介してインターネットに接続し、インターネット電話ソフトを搭載したパソコンや別の端末接続装置を介して別の電話端末に通話接続する構成が開示されている。特許文献１では、端末やサーバにＩＰ（Internet Protocol）アドレスのほか固有の識別番号（管理番号）が付与されている。
【先行技術文献】
【特許文献】
【０００５】
【特許文献１】特開平１０−２９０２６４号公報
【発明の概要】
【発明が解決しようとする課題】
【０００６】
特許文献１等に開示されたインターネット電話の一例であるＶｏＩＰ網の音声通話システムにおいては、網（ネットワーク）内における音声信号の並び替え等の処理ポイントや処理頻度が、ＰＳＴＮのみのネットワークと比較して多い。このため、誤動作や故障による音声の混信の発生の可能性が高くなる。ＶｏＩＰ網において、例えばＲＴＣＰ（Real-time Transport Control Protocol）により、伝送遅延等の統計情報の監視は、可能ではあるが、混信を確認する手段は無い。
【０００７】
このため、音声通話で混信が発生した場合に、端末のユーザ（加入者）が事業者等に申告する以外に、混信の発生を検知することが出来ない。事業者側で早期に音声の混信を検出することができない。ユーザによっては必ず申告するとは限らない。この為、申告があるまで混信事象を複数件引き起こし、影響範囲を広げる結果となる。
【０００８】
本発明は、上記問題点に鑑みて創案されたものであって、その目的は、音声通話に影響を与えることなく、早期に音声の混信を検出し、ネットワークの信頼性を向上させることにある。
【課題を解決するための手段】
【０００９】
本発明の１つの側面によれば、音声信号に対して、音声帯域外の周波数領域の予め定められた識別信号を生成する識別信号生成手段と、前記音声信号に、前記識別信号生成手段で生成された識別信号を挿入して送信する識別信号挿入手段と、受信した音声信号から音声帯域外の周波数領域の識別信号を抽出する識別信号抽出手段と、前記識別信号抽出手段で抽出された識別信号が予め定められた識別信号の期待値と一致するか否か判定する識別信号判定手段と、を備えた音声混信検出装置が提供される。
【００１０】
本発明の他の側面によれば、音声信号に対して、音声帯域外の周波数領域の予め定められた識別信号を生成する識別信号制御手段と、前記音声信号に、前記識別信号制御手段で生成された識別信号を挿入して送信する識別信号挿入手段と、を備えた送信装置が提供される。
【００１１】
本発明の他の側面によれば、受信した音声信号から音声帯域外の周波数領域の識別信号を抽出する識別信号抽出手段と、抽出された前記識別信号が、予め定められた識別信号の期待値と一致するか否か判定する判定手段と、を備えた受信装置が提供される。
【００１２】
本発明の他の側面によれば、音声信号に対して音声帯域外の周波数領域に予め定められた識別信号を生成し、
前記音声信号に前記生成した識別信号を挿入して送信し、
受信した音声信号から音声帯域外の周波数領域の識別信号を抽出し、
抽出した前記識別信号が、予め定められた識別信号の期待値と一致するか否か判定する、音声混信検出方法が提供される。
【００１３】
本発明のさらに他の側面によれば、音声信号に対して音声帯域外の周波数領域の予め定められた識別信号を生成する処理と、前記音声信号に、生成された前記識別信号を挿入して送信する処理と、受信した音声信号から音声帯域外の周波数領域の識別信号を抽出する処理と、抽出された前記識別信号が予め定められた識別信号の期待値と一致するか否か判定する処理と、をコンピュータに実行させるプログラムが提供される。本発明の他の側面によれば、該プログラムを記録したコンピュータ読み出し可能な記録媒体（半導体メモリ、磁気／光ディスク等）が提供される。
【発明の効果】
【００１４】
本発明によれば、音声通話に影響を与えることなく、早期に音声の混信を検出し、ネットワークの信頼性を向上させることができる。
【図面の簡単な説明】
【００１５】
【図１】参考例を説明する図である。
【図２】参考例を説明する図である。
【図３】参考例を説明する図である。
【図４】本発明の第１の実施形態の構成を説明する図である。
【図５】本発明の第１の実施形態の動作を説明する図である。
【図６】本発明の第１の実施形態の動作を説明する図である。
【図７】（Ａ）は本発明の第１の実施形態の正弦波カウンタの構成を説明する図であり、（Ｂ）は各部の波形を説明する図である。
【図８】本発明の第１の実施形態の識別信号生成部の送信波形を例示する図である。
【図９】本発明の第１の実施形態における各チャネルの識別信号波形を例示する図である。
【図１０】本発明の第１の実施形態において混信が発生した場合の受信識別信号波形を例示する図である。
【図１１】本発明の第１の実施形態における識別信号管理テーブルを例示する図である。
【図１２】本発明の第２の実施形態の識別信号生成部の送信波形を例示する図である。
【図１３】本発明の第１の実施形態における識別信号管理テーブルを例示する図である。
【図１４】本発明の基本概念を説明する図である。
【発明を実施するための形態】
【００１６】
本発明の基本概念を説明する。図１４を参照すると、本発明の一形態の音声混信検出装置３０は、音声信号に対して、音声帯域外の周波数領域の予め定められた識別信号を生成する識別信号生成手段（識別信号生成部）３３と、前記音声信号に前記識別信号制御手段で生成された識別信号を挿入して送信する識別信号挿入手段（識別信号挿入部）３２と、受信した音声信号から、音声帯域外の周波数領域の識別信号を抽出する識別信号抽出手段（識別信号抽出部）３５と、抽出された前記識別信号が予め定められた識別信号の期待値と一致するか否か判定する識別信号判定手段（識別信号判定部）３６と、を備える。
【００１７】
本発明の一形態において、識別信号生成手段３３と識別信号挿入手段３２は送信装置３１に含まれる。識別信号抽出手段３５と識別信号判定手段３６は、受信装置３４に含まれる。送信装置３１は、例えば加入者端末側からの音声信号に識別信号を付加した信号を、送信音声信号としてＩＰ（Internet Protocol）網側に向けて転送する。受信装置３４は、例えばＩＰ網からの受信音声信号を加入者端末側に転送する。送信装置３１と受信装置３４は一体に構成してもよいし、それぞれ別のユニットとして配置してもよい。
【００１８】
本発明において、前記識別信号は、音声帯域外の予め定められた周波数の正弦波を含む。前記識別信号として、予め定められた所定期間に含まれる前記正弦波の数が、チャネル毎に一意に割りてられる構成としてもよい。
【００１９】
あるいは、前記識別信号として、予め定められた所定サイクル、前記正弦波が連続すると、２進数の１と０の一方とし、予め定められた所定サイクル正弦波が連続しない場合に、２進数の１と０の他方とする値が、チャネル毎に、一意に割りてられる構成としてもよい。
【００２０】
本発明において、前記識別信号生成手段（識別信号生成部）３３は、チャネルに対応した識別信号をチャネル毎に記憶管理し、前記識別信号挿入手段３２に該当するチャネルに対応する識別信号を供給する識別信号制御手段（図４の４２０）を備え、発呼側から受信した呼制御信号から識別信号情報を取得し、前記識別信号判定手段３６に対して、該当するチャネルに対応する識別信号の期待値を供給する管理手段（管理部)（図４の４３０）と、前記識別信号判定手段３６で不一致を検出したとき、警報を出力する警報手段（警報発報部）（図４の４４０）を備えた構成としてもよい。
【００２１】
本発明において、前記識別信号抽出手段３５は、前記受信した音声信号から音声帯域外の周波数領域の正弦波を抽出する。また、前記識別信号判定手段３６は、前記識別信号抽出手段３５で抽出された前記正弦波から、前記正弦波に対応したレベルを有し前記正弦波の数に対応する長さの直流信号に変換する手段（図７（Ａ）の３２１、３２２）と、前記直流信号を予め定められた所定の閾値と比較して２値の信号に変換し、前記２値の信号のパルス長さを計測することで前記正弦波の数を取得する手段（図７（Ａ）の３２４）と、取得した正弦波の数が前記期待値と一致するかチェックする手段（図７（Ａ）の３２５）を備えた構成としてもよい。
【００２２】
本発明の実施形態を説明するにあたり、はじめに、本発明の適用対象のシステムの例（参考例）について説明し、当該システムの問題点を説明し、つづいて、当該システムに本発明を適用した実施形態を説明する。
【００２３】
図１は、ＶｏＩＰ網とＰＳＴＮ網による音声通話システムの構成の一例を例示する図である。図１を参照すると、ＶｏＩＰ網１０は、ユーザ電話端末１００、ＬＣ（Line Circuit：加入者回路）２００、ＶｏＩＰアクセスゲートウェイ５００、ＩＰネットワーク６００を備えている。ＰＳＴＮ網２０は、ユーザ電話端末１０００、ＬＣ（Line Circuit：加入者回路）９００、ＴＤＭ（Time Division Multiplexing：時分割多重）交換機８００を備えている。ＰＳＴＮ網２０とＶｏＩＰ網１０の間に音声信号を相互接続するＭＧ（Media Gateway）７００が位置し、ＶｏＩＰによる音声通話を実現している。
【００２４】
ＶｏＩＰ網１０の音声信号は、ＲＴＰ（Real Time Protocol）パケット化され、ＩＰ網６００を転送される。ＵＤＰ（User Datagram Protocol）ペイロードにＲＴＰヘッダ（12byte）＋ＲＴＰペイロード（音声データ）が格納される。ＲＴＰペイロードに付加されるヘッダはＩＰヘッダ（20byte）、ＵＤＰヘッダ（8byte）、ＲＴＰヘッダ（12byte）となる。
【００２５】
ＰＳＴＮ網２０の音声信号は、時分割多重によるタイムスロットに音声信号が組み込まれ転送される。図１は、ＶｏＩＰ網１０側の加入者の音声信号が、ＶｏＩＰ網１０側の加入者番号と同一の番号のＰＳＴＮ網２０側の加入者へ正常に転送されている例が模式的に示されている。
【００２６】
ＶｏＩＰ網１０においては、網内における音声信号の並び替え等の処理ポイントや処理頻度は、ＰＳＴＮ網２０のみのネットワークと比較して多い、というのが実情である。このため、誤動作や故障による音声の混信の可能性が増大する。
【００２７】
図２は、図１において、ＶｏＩＰ網１０からＰＳＴＮ網２０への音声信号がＶｏＩＰ網１０内において混信が発生した例を模式的に示す図である。ＶｏＩＰ網１０のＲＴＰパケット内の音声信号が加入者１と加入者３で入れ替わっている。すなわち、加入者１の音声信号Ｖｏｉｃｅ１が加入者３のＲＴＰパケットのペイロードに格納されており、加入者３の音声信号Ｖｏｉｃｅ３が加入者１のＲＴＰパケットのペイロードに格納された状態でＰＳＴＮ網２０に向けて転送される。ＰＳＴＮ網２０では、加入者１に割り当てられたタイムスロット１に加入者３の音声信号Ｖｏｉｃｅ３が転送され、加入者３に割り当てられたタイムスロット３に加入者１の音声信号Ｖｏｉｃｅ１が転送される。
【００２８】
図３は、図１において、ＰＳＴＮ網２０からＶｏＩＰ網１０への音声信号がＶｏＩＰ網１０内で混信が発生した例を模式的に示す図である。ＶｏＩＰ網１０のＲＴＰパケット内の音声信号が加入者１と加入者３で入れ替わっている。すなわち、加入者１の音声信号Ｖｏｉｃｅ１が加入者３のＲＴＰパケットのペイロードに格納されており、加入者３の音声信号Ｖｏｉｃｅ３が加入者１のＲＴＰパケットのペイロードに格納される。
【００２９】
このような混信発生により、電話ユーザにおいて、通話不能や情報漏洩といった重大な障害が発生することになる。現状のところ、ＶｏＩＰ網１０では混信を確認する手段は無く、混信が発生した場合にユーザ申告以外に混信の発生を検知することが出来ない。本発明によれば、図２や図３に示したような音声信号の入れ替わりによる混信を検出する混信検出装置が提供される。
【００３０】
＜実施形態１＞
本発明の第１の実施形態の音声混信検出装置は、図１のＶｏＩＰ網１０においては、ＬＣ２００とＶｏＩＰアクセスゲートウェイ５００の間に配置される。また、図１のＰＳＴＮ網２０においては、ＬＣ９００とＴＤＭ交換機８００の間に配置される。
【００３１】
図４は、ＶｏＩＰ網１０において、ＬＣ２００とＶｏＩＰアクセスゲートウェイ５００との間に配置される音声混信検出装置を説明する図である。図４を参照すると、音声混信検出装置は、識別信号送受信部３００と共通制御部４００を備えている。
【００３２】
ＬＣ２００は、図１のユーザ電話端末１００と２線式の加入者線で接続され、アナログ通話信号を、ＰＣＭ（Pulse Code Modulation）信号に変換する。
【００３３】
ＬＣ２００において、ハイブリッド（ｈｙｂｒｉｄ）回路（２線４線変換回路）２１０は、ユーザ電話端末１００からの２線式のアナログ通話信号を４線式のアナログ信号に変換する。また、４線式のアナログ信号を２線式のアナログ通話信号に変換する機能を有する。
【００３４】
ＬＣ２００において、 Ａ／Ｄ２２０（Analog to digital converter（ADC）/Digital to analog converter（DAC）:アナログデジタル変換器／デジタルアナログ変換器）はＰＣＭコーデック（codec）であり、例えばμ-law圧伸則（北米、日本）（又はA-law）等により符号化と復号化を行う。すなわち、Ａ／Ｄ２２０はハイブリッド回路２１０からのアナログの通話信号を符号化してＰＣＭ信号に変換する。またＡ／Ｄ２２０はＰＣＭ信号（デジタル通話信号）を復号化してアナログ信号を生成しハイブリッド回路２１０に出力する。フィルタ群２３０はＬＰＦ（Low Pass Filter：低域通過フィルタ）とＨＰＦ（High Pass Filter：高域通過フィルタ）を備えている。フィルタ群２３０はＰＣＭ信号に対して、音声帯域外の周波数を遮断する。なお、図４において、フィルタ群２３０は、例えばデジタルフィルタで構成される。
【００３５】
識別信号送受信部３００は、ＬＣ２００とＶｏＩＰアクセスゲートウェイ５００の間に接続されている。識別信号送受信部３００は、加算器３３０、ＬＰＦ３１０、正弦波カウンタ３２０を備えている。
【００３６】
共通制御部４００は、識別信号生成部４１０、識別信号制御部４２０、管理部４３０、警報発報部４４０を備えている。
【００３７】
加算器３３０は、ＬＣ２００から送られてくるＰＣＭ信号（デジタル通話信号：音声信号）に、共通制御部４００の識別信号制御部４２０から供給される識別信号を、デジタル加算する。加算器３３０は、音声信号に識別信号を付加（重畳）する識別信号挿入部として機能する。
【００３８】
ＬＰＦ３１０は、ＶｏＩＰゲートウェイ５００から受信するＰＣＭ信号(デジタル音声通話信号)から、音声帯域外の低周波成分を抽出する。ＬＰＦ３１０は例えばデジタルフィルタからなり、低周波成分の識別信号を選択的に通過させる。あるいは、ＬＰＦ３１０では、受信するＰＣＭ信号をＦＦＴ（Fast Fourier Transform:高速フーリエ変換）またはＤＦＴ(Discrete Fourier Transform：離散フーリエ変換)等で周波数領域に変換し、例えばカットオフ周波数よりも低域周波成分のみを残し、カットオフ周波数以上、ナイキスト（Nyquist）周波数成分までを０に設定した上でＩＦＦＴ（Inverse Fast Fourier Transform:逆高速フーリエ変換）又はＩＤＦＴ（Inverse Discrete Fourier Transform：逆離散フーリエ変換）等で時間領域の信号に戻すことで、識別信号（正弦波）を抽出するようにしてもよい。
【００３９】
なお、図４に示す例では、ＶｏＩＰ網１０のＶｏＩＰアクセスゲートウェイ５００とＬＣ２００との間に、識別信号送受信部３００が配置されているが、図１のＰＳＴＮ網２０のＴＤＭ交換機８００とＬＣ９００の間に識別信号送受信部３００を配置する構成としてもよいことは勿論である。この場合、加算器３３０は、共通制御部４００の識別信号制御部４２０から供給される識別信号を、ＬＣ９００から送られてくるアナログ音声通話信号にアナログ加算する。ＬＰＦ３１０は、アナログ回路で構成され、ＴＤＭ交換機８００から受信するアナログ音声通話信号から音声帯域外の低周波成分を抽出する。
【００４０】
正弦波カウンタ３２０は、ＬＰＦ３１０を通過した識別信号の正弦波の数をカウントする。正弦波カウンタ３２０はカウント値を、期待値（対応するチャネルの識別信号の正弦波の数）と照合する。正弦波カウンタ３２０は、識別信号の正弦波の数が期待値と一致しない場合、共通制御部４００の警報発報部４４０へアラームを通知する。
【００４１】
共通制御部４００において、識別信号生成部４１０は、音声帯域外の周波数の信号（５０Ｈｚの正弦波信号）を生成する。識別信号生成部４１０で生成する信号波形(送信波形は、図８に示すような正弦波となる。
【００４２】
識別信号制御部４２０は、識別信号管理テーブル４２１を備え、チャネル番号毎に、識別信号の正弦波の数（所定期間（例えば１秒）における正弦波の数（正弦波の１サイクル=２０msec（milli second））)を一意に割り当てる。
【００４３】
図１１は、識別信号管理テーブル４２１の一例を示す図である。識別信号管理テーブル４２１には、チャネル（チャネル番号）（Ｖｏｉｃｅ１、Ｖｏｉｃｅ２、Ｖｏｉｃｅ３）に対応して、当該チャネルの識別信号である正弦波の数１、２、３が割り当てられている。
【００４４】
また、識別信号制御部４２０は、１秒間隔で各チャネル番号に対応した数の正弦波を識別信号送受信部３００へ送信する。
【００４５】
警報発報部４４０は、保守者へ警報を発報し混信発生を通知する。管理部４３０は、呼制御ネットワーク１１００とのインタフェースを備え、呼制御を行う。
【００４６】
次に、図５乃至図１１を参照して本実施形態の動作について詳細に説明する。
【００４７】
図５は、発呼から通話開始までの共通制御部４００の識別信号制御部４２０と管理部４３０の動作を説明する図である。本実施形態においては、呼処理のプロトコルには、ＩＰ電話等の呼制御（シグナリング）を行うプロトコルであるＳＩＰ（Session Initiation Protocol）を用いる（IETF（Internet Engineering Task Force）のRFC（Request For Comments）3261にＳＩＰの仕様が標準化されている）。なお、図５において、発呼側の共通制御部４００の識別信号制御部４２０、管理部４３０は、図４の共通制御部４００の識別信号制御部４２０、管理部４３０に対応するものとし、また着呼側の共通制御部４００の識別信号制御部４２０、管理部４３０は、図１のＴＤＭ交換機８００とＬＣ９００の間に配置される音声混信検出装置の共通制御部４００の識別信号制御部４２０、管理部４３０であってもよい。発呼側の共通制御部４００の管理部４３０と着呼側の共通制御部４００の管理部４３０は呼制御ネットワーク１１００を介して接続される。
【００４８】
（１）＜発呼側の動作＞
発呼側の共通制御部４００の管理部４３０は、ユーザ電話端末１００からの発呼の後、識別信号制御部４２０に対して、通話先へ送信する識別信号の１秒当たりの正弦波数を問い合わせる（ステップＡ１）。  
【００４９】
共通制御部４００の識別信号制御部４２０は、識別信号管理テーブル４２１（図１１）を参照し、該当チャネルに対応する識別信号の１秒当たりの正弦波数を、管理部４３０へ返す（ステップＡ２）。
【００５０】
管理部４３０は、通信先に対して、ＳＩＰ  Ｉｎｖｉｔｅ（セッション確立要求）リクエストメッセージを送出する。管理部４３０は、Ｉｎｖｉｔｅリクエストメッセージのボディ部（メッセージボディ）に、発呼側が送信する識別信号の１秒当たりの正弦波数を設定し、通信先へ通知する（ステップＡ３）。なお、SIPメッセージ（リクエスト／レスポンス）は、１行目のリクエスト行／レスポンス行、ヘッダ部、ヘッダ部とボディ部を区別する空白行、ボディ部（SDP（Session Description Protocol）の書式）からなる。
【００５１】
（２）＜着呼側の動作＞
着呼側の共通制御部４００の管理部４３０は、発呼側の共通制御部４００の管理部４３０から呼制御ネットワーク１１００を介して送信されたＩｎｖｉｔｅリクエストメッセージを受信すると（ステップＡ４）、Ｉｎｖｉｔｅリクエストメッセージのメッセージボディを検索し、メッセージボディに、発呼側の識別信号の１秒当たりの正弦波数が記述されているか否かを確認する（ステップＡ５）。
【００５２】
共通制御部４００の管理部４３０は、Ｉｎｖｉｔｅリクエストメッセージのメッセージボディに記述された正弦波数を、１秒当たりの正弦波数の受信側の期待値とみなす。また、管理部４３０は、識別信号制御部４２０に対して、通話先へ送信する識別信号の１秒当たりの正弦波数を問い合わせる（ステップＡ７）。
【００５３】
識別信号制御部４２０は、識別信号管理テーブル４２１（図１１）を参照し、該当チャネルに対応する正弦波数を管理部４３０へ返す（ステップＡ８）。
【００５４】
管理部４３０は、ＳＩＰ  ２００ｏｋレスポンスメッセージのメッセージボディに１秒当たりの正弦波数を記述し、発呼側へ送信する（ステップＡ９）。
【００５５】
ステップＡ５において、Ｉｎｖｉｔｅリクエストメッセージのメッセージボディに正弦波数の記述が存在しない場合には、管理部４３０は識別信号制御部４２０に対して、機能（送信正弦波数の検索、応答）の無効化を指示する（ステップＡ６）。
【００５６】
（３）＜発呼側の動作＞
管理部４３０は、ＳＩＰ  ２００ｏｋレスポンスメッセージを受信すると（ステップＡ１０）、２００ｏｋレスポンスメッセージのメッセージボディを検索し、着呼側の識別信号の１秒当たりの正弦波数の記述有無を確認する（ステップＡ１１）。
【００５７】
管理部４３０は、２００ｏｋレスポンスメッセージのメッセージボディの記述された正弦波数を、１秒当たりの正弦波数の受信側の期待値とみなす。正弦波数の記述が存在しない場合は、通信先は、本発明の手段を具備していないとみなし、識別信号制御部４２０に対して、本発明の機能の無効化を指示する（ステップＡ１２）。
【００５８】
図６は、図５のステップＡ１１で正弦波数が記述されており、ステップＡ１３で通話が開始される場合における、ＶｏＩＰアクセスゲートウェイ５００への音声送信側の動作について説明する。
【００５９】
共通制御部４００の識別信号制御部４２０は、管理部４３０より識別信号送信指示を受けると（ステップＢ１）、識別信号生成部４１０より受信する５０Ｈｚの正弦波（図８）から、１秒間に当該呼のチャネル番号に対応した数の正弦波を抽出する。
【００６０】
図９は、識別信号制御部４２０において、識別信号管理テーブル４２１が図１１の場合に、識別信号生成部４１０より受信する５０Ｈｚの正弦波から抽出される識別信号を示す。この動作を、通話中、連続して、実行する（ステップＢ２）。
【００６１】
識別信号制御部４２０は、抽出した正弦波を識別信号として当該呼の識別信号送受信部３００へ送信する（ステップＢ３）。
【００６２】
図７（Ａ）は、識別信号送受信部３００の正弦波カウンタ３２０の構成を示す図である。図７（Ｂ）は、図７（Ａ）の動作を説明する波形図である。図７を参照して、ＶｏＩＰアクセスゲートウェイ５００からの音声受信側の動作について説明する。
【００６３】
正弦波カウンタ３２０は、全波整流部３２１、ＬＰＦ３２２、コンパレータ３２３、パルス長カウンタ３２４、正弦波数チェック部３２５を備えている。正弦波カウンタ３２０をデジタル信号処理回路で実現する場合、プロセッサ又はデジタル信号プロセッサ等によりプログラムを実行することで、正弦波カウンタ３２０の各部の処理を実行するようにしてもよい。全波整流部３２１は、入力した信号波形１（＝Vin１）が正極性のとき、Vin1、負極性のとき、−Vin1を出力する。ＬＰＦ３２２は、デジタルフィルタで構成される。コンパレータ３２３は、ＬＰＦ３２２の出力と所定の閾値（デジタル値）との大小を比較するデジタル回路（大小比較回路）で構成される。
【００６４】
一方、識別信号送受信部３００が、ＰＳＴＮ網２０のＴＤＭ交換機８００とＬＣ９００の間に配置され、正弦波カウンタ３２０がＬＰＦ３１０からのアナログ信号を処理する場合、正弦波カウンタ３２０において、全波整流部３２１、ＬＰＦ３２２、コンパレータ（電圧比較器）３２３はいずれもアナログ回路で構成され、いずれも公知の回路構成が用いられる。コンパレータ３２３の出力信号（電圧比較結果信号）が２値の信号（デジタル信号）とされ、パルス長カウンタ３２４、正弦波数チェック部３２５はデジタル回路又はデジタル回路とソフトウェア制御により実現される。
【００６５】
ＶｏＩＰアクセスゲートウェイ５００からのＰＣＭ信号よりＬＰＦ３１０により抜き出した正弦波２周期分の識別信号（図７（Ｂ）の波形１）を、正弦波カウンタ３２０の全波整流部３２１に入力すると、正弦波は全波整流される（図７（Ｂ）の波形２）。整流された信号をＬＰＦ３２２へ入力すると、波形が積分され、正弦波２周期分のパルス波形となる（図７（Ｂ）の波形３）。
【００６６】
次に、ハイレベルとローレベルの閾値（レベル閾値）を設定したコンパレータ３２３へ入力すると、デジタルのパルス波形となる（図７（Ｂ）の波形４）。コンパレータ３２３は、レベル閾値よりも高いレベルをハイレベル、レベル閾値よりも低いレベルをローレベルとする。
【００６７】
パルス長カウンタ３２４は、入力されたパルス波形（波形４）を、高速（例えば１ｋＨｚ）でチェックし、正弦波の周期（20msec）の期間ハイレベルを検出すると１カウントとし、１周期の正弦波が入力されたことを認識する。例えば波形４がローレベルからハイレベルとなるとカウント値を１とし１ｋＨｚ毎に波形４のレベルをチェックし、ハイレベルであれば、カウント値をインクリメント（＋１）し、はローレベルであればカウントを停止し、波形４（ハイパルス）のパルス長（パルス幅）を計数する。図７の例では、パルス長カウンタ３２４のカウント値は２となる。このようにして１秒周期で正弦波数をカウントし、カウント結果を正弦波数チェック部３２５に通知する。
【００６８】
正弦波数チェック部３２５では、共通制御部４００の管理部４３０より、１秒間の期待正弦波数と正弦波数チェック指示を受信すると、パルス長カウンタ３２４からの正弦波数カウント結果と期待正弦波数とを比較する。一致すれば、正弦波数チェック部３２５は異常無しとみなす。正弦波数チェック部３２５は、期待値と不一致を検出した場合、不一致判定結果を、共通制御部４００の警報発報部４４０へアラームとして通知する。
【００６９】
警報発報部４４０は、正弦波数チェック部３２５から、アラームを受信すると、混信発生とみなし、保守者（あるいは保守端末等）へ通知する。
【００７０】
図１０は、Ｖｏｉｃｅ１のチャネルに、Ｖｏｉｃｅ２が挿入した場合の受信識別信号を示す。Ｖｏｉｃｅ１の受信識別信号には、混信により、Ｖｏｉｃｅ２の正弦波数（１秒間に２個の正弦波数）が含まれる。Ｖｏｉｃｅ１の受信識別信号に含まれる正弦波数（１秒間に１個）と相違している。正弦波数チェック部３２５は、期待値と不一致を検出した場合、共通制御部４００の警報発報部４４０へアラームを通知する。
【００７１】
＜実施形態１の作用効果＞
上記した実施形態の作用効果について説明する。
【００７２】
（Ａ）実施形態によれば、電話網において通話中に混信が発生した場合、混信発生の影響範囲を最小限に留めることを可能としている。発明が解決しようとする課題で説明したように、混信の発生を検出できない場合、電話ユーザの申告以外に混信発生を検知する手段はなかった。また、電話ユーザによっては、必ず申告するとは限らない。このため、申告があるまで混信事象を複数件引き起こし、影響範囲を広げることにつながる。本実施形態により、ユーザ申告よりも先に混信の発生を検出し、保守端末、保守サーバあるいは保守者等に早期に通知することで、故障被疑箇所の停止や系切り替えといった処置を早期に行うことを可能としている。このため、混信事象の拡大を未然に防ぐことが出来る。
【００７３】
（Ｂ）また本実施形態によれば、電話網において通話中に混信が発生した場合に、発生後、短時間に混信の発生を検出することを可能としている。例えば混信した場合に、短時間に混信の発生が検出できなければ、話者の発する言葉は、意味ある文章として成立せず、聞き手からは判別できない為である。このため、電話ユーザの情報漏洩の可能性を最小限に留めることができる。
【００７４】
（Ｃ）さらに、本実施形態によれば、通話チャネルを識別する識別信号を音声帯域外に挿入させ、ＬＣ２００のフィルタ群２３０により識別信号は減衰され、また５０Ｈｚ程度の低周波は、人間の聴覚では殆ど聞くことができない。このため、電話網において通話中に混信が発生した場合に、通常の音声通話に影響を与えることなく、混信発生の検出を行うことができる。
【００７５】
また、識別信号として、音声帯域外（低域側）の所定の周波数の正弦波を用いたことにより、複数周波数間のＩＭ（Inter Modulation）歪（相互変調歪）や、矩形波等を用いた場合に発生する高調波成分等の発生が抑制され、識別信号の周波数スペクトルが音声帯域に影響を与えることを回避している。
【００７６】
（Ｄ）さらにまた、本実施形態によれば、電話ユーザ端末と括りついたＬＣ２００の後段に、混信検出装置を付加することで、エンド・ツー・エンドの混信発生の監視を可能としている。このため、電話網において通話中に混信が発生した場合、ネットワークの中継装置等に機能の追加は不要であり、中継装置等に影響を与えることなく、漏れなく確実に混信の発生を検出することができる。
【００７７】
（Ｅ）さらにまた、本実施形態によれば、識別信号の正弦波数をカウントした結果より、挿入した呼のチャネル番号を特定することができる。この結果、挿入呼のネットワークのトレースを可能としている。その結果、電話網において通話中に混信が発生した場合、被疑故障箇所の特定作業を容易化することができる。
【００７８】
（Ｆ）さらにまた、本実施形態によれば、通話中に受信側の識別信号を、例えば１秒以上未検出であった場合、送信側の通話データが受信側に到達していないと判断することができ、無音の発生とみなすことが可能となる。このため、電話網において通話中にネットワークの要因等で通話データの欠落が発生した場合、ユーザからの「通話先からの音声が聞こえない」という申告よりも先に無音の事象を検出することを可能としている。
【００７９】
＜実施形態２＞
次に、本発明の第２の実施形態について説明する。第２の実施形態においては、図４の構成において、音声帯域外の周波数領域に音声チャネル番号を識別する識別信号を挿入させ、音声受信側において、識別信号をチェックし、混信の発生を検出する点で、前記第１の実施形態と同様である。第２の実施形態は、識別信号の識別方式が、前記第１の実施形態と相違している。第２の実施形態においては、２周期の正弦波を１ビットとみなし、識別信号を、１秒間の正弦波のビットパタンによって識別する。
【００８０】
図１２は、図４の識別信号制御部４２０が識別信号送受信部３００へ送信する識別信号の例を模式的に示す図である。識別信号制御部４２０は、識別信号生成部４１０から供給される５０Ｈｚの正弦波から、１秒間の正弦波のビットパタンを生成する。１秒周期の先頭位置は、正弦波有り／無しの２回連続パタンによって識別する。すなわち、先頭の正弦波有り／無しの２回連続パタンは正弦波のビットパタンのスタートを示している。残りの正弦波４６周期分は、「２回連続の正弦波有り」を‘１’、「２回連続の正弦波無し」を‘０’とし、２進数(バイナリ)でパタンを表現する。これにより、識別信号の周波数は５０Ｈｚと低いにもかかわらず、２の２３乗（１０進数：8388608）通りのパタンを識別可能となる。例えば図１２に示すように、Ｖｏｉｃｅ１、２、３の識別信号の先頭は正弦波有、無、有、無のパタンであり、Ｖｏｉｃｅ１の識別信号の正弦波ビットパタン領域は２進数の‘１’、Ｖｏｉｃｅ２の識別信号の正弦波ビットパタン領域は２進数の‘１０’（＝１０進数の２）、Ｖｏｉｃｅ３の識別信号の正弦波ビットパタン領域は２進数の‘１１’（＝１０進数の３）である。
【００８１】
図１３は、第２の実施形態における識別信号管理テーブル４２１の一例を示す図である。識別信号管理テーブル４２１はチャネル番号（ＩＤ）に対応する正弦波ビットパタン領域の値を備えている。
【００８２】
本実施形態による、発呼から通話開始までの共通制御部４００の識別信号制御部４２０と管理部４３０の動作と、通話が開始される場合のＶｏＩＰアクセスゲートウェイ５００への音声送信側の動作、及びＶｏＩＰアクセスゲートウェイ５００からの音声受信側の動作は、図５および図６を参照して説明した前記第１の実施形態の動作の説明における「正弦波数」を「正弦波ビットパタン」に置き換えればよい。
【００８３】
また、図４の正弦波カウンタ３２０の構成は、図７（Ａ）に示した構成とされる。正弦波ビットパタン領域の「２回連続の正弦波有り」を２進数の‘１’としてカウントする処理は、図７（Ａ）、図７（Ｂ）を参照して説明した処理と同様にして行われる。例えば、正弦波ビットパタン領域に関して、正弦波カウンタ３２０において、図４のパルス長カウンタ３２４では、入力されたパルス波形（波形４）のハイ／ローを例えば周波数１ｋＨｚ（１msec周期）でチェックし、図７（Ｂ）のように、「２回連続の正弦波有り」に対応するパルス長の場合、＋１カウントし、波形４のハイレベルが、「２回連続の正弦波有り」がｎセット分連続する場合、カウント値は１０進数でｎとなる。波形４がローレベルとなると、パルス長カウンタ３２４はカウントを停止し、カウント結果を正弦波数チェック部３２５に通知する。正弦波数チェック部３２５では、共通制御部４００の管理部４３０より、１秒間の期待正弦波ビットパタンと、正弦波ビットパタンチェック指示を受信すると、パルス長カウンタ３２４からのカウント結果（「２回連続の正弦波有り」のカウント結果）と期待正弦波ビットパタンとを比較する。一致すれば、正弦波数チェック部３２５は異常無しとみなす。正弦波数チェック部３２５は、期待値と不一致を検出した場合、共通制御部４００の警報発報部４４０へアラームを通知する。
【００８４】
＜実施形態２の作用効果＞
第２の実施形態においても、前記第１の実施形態と同様の作用効果（Ａ）乃至（Ｇ）を奏するほか、割り当て可能な識別信号の値を飛躍的に増大させる。
【００８５】
なお、上記の特許文献の開示を、本書に引用をもって繰り込むものとする。本発明の全開示（請求の範囲を含む）の枠内において、さらにその基本的技術思想に基づいて、実施形態ないし実施例の変更・調整が可能である。また、本発明の請求の範囲の枠内において種々の開示要素（各請求項の各要素、各実施例の各要素、各図面の各要素等を含む）の多様な組み合わせ乃至選択が可能である。すなわち、本発明は、請求の範囲を含む全開示、技術的思想にしたがって当業者であればなし得るであろう各種変形、修正を含むことは勿論である。
【００８６】
上記した実施形態は以下のように付記される（ただし、以下に限定されない）。
（付記１）
音声信号に対して、音声帯域外の周波数領域の予め定められた識別信号を生成する識別信号生成手段と、
前記音声信号に、前記識別信号生成手段で生成された識別信号を挿入して送信する識別信号挿入手段と、
受信した音声信号から音声帯域外の周波数領域の識別信号を抽出する識別信号抽出手段と、
前記識別信号抽出手段で抽出された識別信号が予め定められた識別信号の期待値と一致するか否か判定する識別信号判定手段と、
を備えた音声混信検出装置。
【００８７】
（付記２）
前記識別信号が、音声帯域外の予め定められた周波数の正弦波を含む、付記１記載の音声混信検出装置。
【００８８】
（付記３）
前記識別信号として、予め定められた所定期間に含まれる前記正弦波の数がチャネル毎に一意に割りてられる、付記２記載の音声混信検出装置。
【００８９】
（付記４）
前記識別信号として、予め定められた所定サイクル、前記正弦波が連続すると、２進数の１と０の一方とし、予め定められた所定サイクル正弦波が連続しない場合に、２進数の１と０の他方とする値が、チャネル毎に、一意に割りてられる、付記２記載の音声混信検出装置。
【００９０】
（付記５）
前記正弦波の予め定められた組み合わせパタンが前記識別信号の先頭を示す付記４記載の音声混信検出装置。
【００９１】
（付記６）
前記識別信号生成手段が、チャネルに対応した識別信号をチャネル毎に記憶管理し、前記識別信号挿入手段に対して、該当するチャネルに対応する前記識別信号を供給する識別信号生成手段を備え、
受信した呼制御信号から識別信号情報を取得し、前記識別信号判定手段に対して、該当するチャネルに対応する識別信号の期待値を供給する管理手段と、
前記識別信号判定手段で不一致を検出したとき、警報を出力する警報手段と、
をさらに備えた付記１記載の音声混信検出装置。
【００９２】
（付記７）
前記識別信号抽出手段が、前記受信した音声信号から音声帯域外の周波数領域の正弦波を抽出し、
前記識別信号判定手段が、
前記識別信号抽出手段で抽出された前記正弦波から、前記正弦波に対応したレベルを有し前記正弦波の数に対応する長さの直流信号に変換する手段と、
前記直流信号を予め定められた所定の閾値と比較して２値の信号に変換し、前記２値の信号のパルス長を計測することで前記正弦波の数を取得する手段と、
前記取得した正弦波の数が、前記識別信号の期待値と一致するかチェックする手段と、
を備えた付記１乃至６のいずれか一に記載の音声混信検出装置。
【００９３】
（付記８）
音声信号に対して、音声帯域外の周波数領域の予め定められた識別信号を生成する識別信号生成手段と、
前記音声信号に、前記識別信号生成手段で生成された識別信号を挿入して送信する識別信号挿入手段と、を備えた送信装置。
【００９４】
（付記９）
受信した音声信号から音声帯域外の周波数領域の識別信号を抽出する識別信号抽出手段と、
抽出された前記識別信号が、予め定められた識別信号の期待値と一致するか否か判定する識別信号判定手段と、
を備えた受信装置。
【００９５】
（付記１０）
音声信号に対して音声帯域外の周波数領域に予め定められた識別信号を生成し、
前記音声信号に前記生成した識別信号を挿入して送信し、
受信した音声信号から音声帯域外の周波数領域の識別信号を抽出し、
抽出した前記識別信号が、予め定められた識別信号の期待値と一致するか否か判定する、音声混信検出方法。
【００９６】
（付記１１）
前記識別信号が、音声帯域外の予め定められた周波数の正弦波を含む、付記１０記載の音声混信検出方法。
【００９７】
（付記１２）
前記識別信号として、予め定められた所定期間に含まれる前記正弦波の数がチャネル毎に一意に割りてられる、付記１１記載の音声混信検出方法。
【００９８】
（付記１３）
前記識別信号として、予め定められた所定サイクル、前記正弦波が連続すると、２進数の１と０の一方とし、予め定められた所定サイクル正弦波が連続しない場合に、２進数の１と０の他方とする値が、チャネル毎に、一意に割りてられる、付記１１記載の音声混信検出方法。
【００９９】
（付記１４）
前記正弦波の予め定められた組み合わせパタンが前記識別信号の先頭を示す付記１３記載の音声混信検出方法。
【０１００】
（付記１５）
チャネル毎の識別信号を記憶管理し、
受信した呼制御信号から識別信号情報を取得し、受信した呼制御信号から識別信号情報を取得し、該当するチャネルに対応する識別信号の期待値を設定し、
前記識別信号が、該当チャネルに対応する識別信号の期待値と一致しない場合、警報を出力する、付記１０乃至１４のいずれか一に記載の音声混信検出方法。
【０１０１】
（付記１６）
受信した音声信号から音声帯域外の周波数領域の正弦波を抽出し、
抽出された前記正弦波から、前記正弦波に対応したレベルを有し前記正弦波の数に対応する長さの直流信号に変換し、
前記直流信号を予め定められた所定の閾値と比較して２値の信号に変換し、前記２値の信号のパルス長を計測することで前記正弦波の数を取得し、
前記取得した正弦波の数が、前記識別信号の期待値と一致するかチェックする、付記１０乃至１５のいずれか一に記載の音声混信検出方法。
【０１０２】
（付記１７）
音声信号に対して音声帯域外の周波数領域の予め定められた識別信号を生成する識別信号生成処理と、
前記音声信号に、生成された前記識別信号を挿入して送信する識別信号挿入処理と、
受信した音声信号から音声帯域外の周波数領域の識別信号を抽出する識別信号抽出処理と、
抽出された前記識別信号が、予め定められた識別信号の期待値と一致するか否か判定する判定処理と、
をコンピュータに実行させるプログラム。
【０１０３】
（付記１８）
前記識別信号が、音声帯域外の予め定められた周波数の正弦波を含む、付記１７記載のプログラム。
【０１０４】
（付記１９）
前記識別信号として、予め定められた所定期間に含まれる前記正弦波の数がチャネル毎に一意に割りてられる、付記１８記載のプログラム。
【０１０５】
（付記２０）
前記識別信号として、予め定められた所定サイクル、前記正弦波が連続すると、２進数の１と０の一方とし、予め定められた所定サイクル正弦波が連続しない場合に、２進数の１と０の他方とする値が、チャネル毎に、一意に割りてられる、付記１８記載のプログラム。
【０１０６】
（付記２１）
前記正弦波の予め定められた組み合わせパタンが前記識別信号の先頭を示す付記２０記載のプログラム。
【０１０７】
（付記２２）
チャネルに対応した識別信号をチャネル毎に記憶管理し、前記識別信号挿入手段に該当するチャネルに対応する識別信号を供給する識別信号制御処理と、
受信した呼制御信号から識別信号情報を取得し、前記判定処理に対して、該当するチャネルに対応する識別信号の期待値を供給する管理処理と、
前記判定処理で不一致を検出したとき、警報を出力する警報処理と、を前記コンピュータに実行させる、付記１７乃至２１のいずれか一に記載のプログラム。
【０１０８】
（付記２３）
受信した音声信号から音声帯域外の周波数領域の正弦波を抽出する処理と、
前記抽出された前記正弦波から、前記正弦波に対応したレベルを有し前記正弦波の数に対応する長さの直流信号に変換する処理と、
前記直流信号を予め定められた所定の閾値と比較して２値の信号に変換し、前記２値の信号のパルス長を計測することで前記正弦波の数を取得する処理と、
前記取得した正弦波の数が、前記識別信号の期待値と一致するかチェックする処理と、を、前記コンピュータに実行させる、付記１７乃至２２のいずれか一に記載のプログラム。
【符号の説明】
【０１０９】
１０  ＶｏＩＰ網
２０  ＰＳＴＮ網
３０  音声混信検出装置
３１  送信装置
３２  識別信号挿入手段
３３  識別信号生成手段
３４  受信装置
３５  識別信号抽出手段
３６  識別信号判定手段
１００  ユーザ電話端末
２００  ＬＣ
２１０  ハイブリッド回路
２２０  Ａ／Ｄ
２３０  フィルタ群
３００  識別信号送受信部
３１０  ＬＰＦ
３２０  正弦波カウンタ
３２１  全波整流部
３２２  ＬＰＦ
３２３  コンパレータ
３２４  パルス長カウンタ
３２５  正弦波数チェック部
３３０  加算器
４００  共通制御部
４１０  識別信号生成部
４２０  識別信号制御部
４２１  識別信号管理テーブル
４３０  管理部
４４０  警報発報部
５００  ＶｏＩＰアクセスゲートウェイ
６００  ＩＰネットワーク
７００  ＭＧ（Ｍｅｄｉａ  Ｇａｔｅｗａｙ）
９００  ＬＣ
８００  ＴＤＭ交換機
１０００  ユーザ電話端末
１１００  呼制御ネットワーク
【図１】
2015231213.tif 000003
【図２】
2015231213.tif 000004
【図３】
2015231213.tif 000005
【図４】
2015231213.tif 000006
【図５】
2015231213.tif 000007
【図６】
2015231213.tif 000008
【図７】
2015231213.tif 000009
【図８】
2015231213.tif 000010
【図９】
2015231213.tif 000011
【図１０】
2015231213.tif 000012
【図１１】
2015231213.tif 000013
【図１２】
2015231213.tif 000014
【図１３】
2015231213.tif 000015
【図１４】
2015231213.tif 000016